(57)【要約】【課題】簡単な装置構成で、偽造、変造が困難な反射型体積ホログラムをオンデマンドで記録することができるホログラム記録方法、光記録媒体、及びホログラム記録装置を提供する。【解決手段】空間光変調器で変調された変調光は、光記録シート１６を透過して拡散体１２に照射される。拡散体１２を透過した拡散光は、反射体２０で反射され、拡散体１２を再度透過して、スペックルパターンが光記録シート１６に照射される。また、空間光変調器で変調された変調光が、光記録シート１６に照射される。変調光を参照光として光記録シート１６に照射し、参照光を照射する側とは異なる側からスペックルパターンを物体光として照射することにより、光記録シート１６の内部にはスペックルパターンに対応した屈折率分布が形成され、光記録シート１６のマスク露光された部分には、反射型の体積ホログラムが記録される。【選択図】図２
2006023670.tif 000002
【特許請求の範囲】
【請求項１】
レーザ光を空間的に変調して得られた変調光と、該変調光を拡散させて得られた拡散光とを、光記録媒体の異なる側から同軸で照射して、前記光記録媒体に反射型体積ホログラムを記録するホログラム記録方法。
【請求項２】
前記光記録媒体を透過した変調光が、反射されると共に拡散されて、前記拡散光として前記光記録媒体に再度照射される請求項１記載のホログラム記録方法。
【請求項３】
複数の異なる波長のレーザ光を同時に用いて、前記光記録媒体に反射型体積ホログラムを多重記録する請求項１又は２に記載のホログラム記録方法
【請求項４】
複数の異なる波長のレーザ光を逐次に用いて、前記光記録媒体に反射型体積ホログラムを多重記録する請求項１又は２に記載のホログラム記録方法
【請求項５】
体積ホログラムを記録可能な記録層と、
入射された光を反射拡散させる反射拡散層と、
を備えた光記録媒体。
【請求項６】
前記反射拡散層が、反射面が粗面化された金属層、紙又は樹脂で構成された請求項５に記載の光記録媒体。
【請求項７】
前記記録層が、入射された光を拡散させる拡散機能を更に備えた請求項５又は６に記載の光記録媒体。
【請求項８】
体積ホログラムを記録可能な記録層と、
入射された光を拡散させる拡散層と、
該拡散層で拡散された光を反射する反射層と、
を備えた光記録媒体。
【請求項９】
前記拡散層が、反射面が粗面化された紙又は樹脂で構成された請求項８に記載の光記録媒体。
【請求項１０】
前記拡散層を複数備えた請求項８に記載の光記録媒体。
【請求項１１】
レーザ光を出射するレーザ光源と、
前記レーザ光源から照射されたレーザ光を空間的に変調し、光記録媒体に照射する空間光変調器と、
前記光記録媒体を透過した変調光を拡散させる拡散体と、
前記拡散体により得られた拡散光を反射する反射体と、
を備えたホログラム記録装置。
【請求項１２】
レーザ光を出射するレーザ光源と、
前記レーザ光源から照射されたレーザ光を空間的に変調し、光記録媒体に照射する空間光変調器と、
前記光記録媒体を透過した変調光を反射させると共に拡散する拡散反射体と、
を備えたホログラム記録装置。
【請求項１３】
レーザ光を出射するレーザ光源と、
前記レーザ光源から照射されたレーザ光を空間的に変調し、光記録媒体に照射する空間光変調器と、
前記光記録媒体で拡散された拡散光を反射する反射体と、
を備えたホログラム記録装置。
【発明の詳細な説明】
【技術分野】
【０００１】
本発明は、ホログラム記録方法、光記録媒体、及びホログラム記録装置に係り、特に、光記録媒体に反射型体積ホログラムを記録するホログラム記録方法と、この記録方法に好適に使用される光記録媒体及びホログラム記録装置と、に関する。
【背景技術】
【０００２】
ＩＤカードやクレジットカードなどの偽造、変造が社会的な問題となっている。これは、複製技術の発達により、偽造防止のために貼付されたホログラムシールの複製が可能となったことに起因する。
【０００３】
従来のホログラムシールは、マスターホログラムからの複製であり、表面の凹凸によるレインボーホログラムが一般的に使用されている。例えば、凹凸パターンからなるレリーフ型マスターホログラムからプレス金型を作製し、この金型を用いて同一の絵柄を加熱押圧して大量のホログラムシールを作製し、カードなどの表示媒体に貼り付けている。しかしながら、現在の技術を持ってすれば、凹凸パターンの複製は比較的容易に行うことができる。このため、ホログラムシールによる偽造防止効果は日に日に低下してきている。
【０００４】
一方、最も偽造・変造が困難なホログラムとしては、リップマンホログラム等に代表される体積ホログラムが挙げられる。この体積ホログラムは、表面の凹凸ではなく、フォトポリマーなどの材料中に屈折率格子を形成するため、偽造が非常に困難である。
【０００５】
また、近年、偽造を困難にするために、オンデマンドでホログラムを印字する方法が提案されている（特許文献１）。この方法では、例えば、ＩＤ番号や製造番号等の個別情報に対応したホログラムをカード等の表示媒体に付与するので、カードの変造などを防止することができ、より安全性を高めることができる。オンデマンドホログラムは、通常、ホログラム転写箔リボンを用いて表示媒体に印字される（特許文献２）。
【特許文献１】特開２０００−２６３９１０号公報
【特許文献２】特開２０００−２１１２５７号公報
【発明の開示】
【発明が解決しようとする課題】
【０００６】
しかしながら、体積ホログラムの記録には物体光と参照光とを同時に照射する必要があるため装置が大掛かりになる、二光波干渉によるホログラム記録のため除震台が必要である等、実用上、大きな問題がある。
【０００７】
また、オンデマンドホログラムは、ホログラム転写箔リボンを用いているため、以下の問題を有している。すなわち、表示媒体に印字されないで転写箔リボンに残ったホログラムを用いることにより、第三者が類似のホログラムを作製できる可能性があり、偽造防止のためには、使用後の転写箔リボンを厳重に管理する必要がある。また、転写箔リボンはレリーフホログラムであるため、凹凸の形状を調べることにより偽造することが可能である。
【０００８】
本発明は、上記問題を解決すべく成されたものであり、本発明の目的は、簡単な装置構成で、偽造、変造が困難な反射型体積ホログラムをオンデマンドで記録することができるホログラム記録方法、光記録媒体、及びホログラム記録装置を提供することにある。
【課題を解決するための手段】
【０００９】
上記目的を達成するために本発明のホログラム記録方法は、レーザ光を空間的に変調して得られた変調光と、該変調光を拡散させて得られた拡散光とを、光記録媒体の異なる側から同軸で照射して、前記光記録媒体に反射型体積ホログラムを記録することを特徴としている。例えば、光記録媒体を透過した変調光が、拡散されると共に反射されて、拡散光として光記録媒体に再度照射される。
【発明の効果】
【００１０】
以上説明したように本発明によれば、簡単な装置構成で、視認性が高く且つ偽造、変造が困難な反射型体積ホログラムを、オンデマンドで記録することができる、という効果が得られる。
【発明を実施するための最良の形態】
【００１１】
以下、図面を参照して、本発明の実施の形態について詳細に説明する。
【００１２】
まず、本実施の形態に係るホログラム記録装置の構成を説明する。このホログラム記録装置は、図１に示すように、コヒーレント光であるレーザ光を出射するレーザ光源１０を備えている。レーザ光源１０のレーザ光出射側には、入射されたレーザ光をコリメートする一対のコリメートレンズ１１が配置されている。また、コリメートレンズ１１のレーザ光出射側には、入射されたレーザ光を記録信号に応じて変調し、変調光を生成する空間光変調器１４が配置されている。
【００１３】
上記のホログラム記録装置を用いてホログラムを記録する場合には、ホログラムを記録する光記録シート１６は、記録光が入射する側の面が空間光変調器１４と対向するように、空間光変調器１４に近接して配置される。或いは、図９に示すように、空間光変調器１４と光記録シート１６との間に４ｆ光学系１３を配置し、記録する二次元データの実像が結像される面（結像面）に光記録シート１６を配置することもできる。なお、光記録シート１６に使用する記録材料等については後述する。
【００１４】
空間光変調器１４の変調光出射側には、光記録シート１６を挟んで、空間光変調器１４で変調されたレーザ光を拡散する板状の拡散体１２が配置されている。拡散体１２のレーザ光出射側には、拡散体１２で拡散された光（拡散光）を光記録シート１６に向けて反射する反射体２０が近接配置されている。また、空間光変調器１４は、該空間光変調器１４を駆動制御するパーソナルコンピュータ（図示せず）に接続されている。
【００１５】
レーザ光源１０としては、波長４００ｎｍ〜７８０ｎｍの可視領域のレーザ光で、記録材料に感度がある波長を出射するレーザ光源を用いることができる。さらに、ホログラムからの再生像は、記録光に近い色を呈するので、赤色のホログラムを形成したい場合は、例えば、５８０ｎｍ以上の波長を、緑色では５００〜５８０ｎｍ、青色では５００ｎｍ以下の波長を用いればよい。
【００１６】
拡散体１２としては、少なくとも一方の面が擦りガラスのように粗面化された透過型の拡散板を用いることができる。例えば、シグマ光機社製の「フロスト型拡散板」の砂番＃２４０〜＃１５００等を用いることができる。また、空間光変調器１４は、例えば、記録信号に応じて生成された二値の２次元デジタルデータ画像を表示する液晶表示素子等で構成されている。反射体２０としては、例えば、アルミ平面ミラーなどを用いることができる。
【００１７】
上記のホログラム記録装置では、レーザ光源１０から出射されたレーザ光は、空間光変調器１４で記録信号に応じて変調され、光記録シート１６に照射される。レーザ光は、平面波、発散光、及び収束光のいずれであってもよい。
【００１８】
例えば、レーザ光源１０と空間光変調器１４との間にレンズ等の光学素子を配置して、レーザ光源１０から出射された平面波を発散又は収束させて、空間光変調器１４に照射することができる。発散光又は収束光を用いて記録した場合には、１つの観察角ではオリジナル画像の一部分が視認されるようになる。従って、角度を変えながら観察すると、視認される画像領域が変化する。
【００１９】
上記の空間光変調器１４は、いわゆるプログラマブルマスクとして機能する。即ち、図３に示すように、画像が表示された空間光変調器１４にレーザ光が照射されると、照射されたレーザ光がデジタルデータ画像（図３では「Ｘ」の文字）の各画素の値に応じて強度変調され、変調光が光記録シート１６に照射される。
【００２０】
空間光変調器１４で変調された変調光は、光記録シート１６を透過して拡散体１２に照射される。レーザ光のようなコヒーレント光が拡散体１２を透過することで、拡散体１２の粗面の各点で散乱された光（拡散光）がランダムに干渉し、拡散光の中にスペックルパターンと呼ばれる斑点状の模様が生成する。
【００２１】
図２に示すように、拡散体１２を透過した拡散光は、反射体２０で反射され、拡散体１２を再度透過して、スペックルパターンが光記録シート１６に照射される。また、上述した通り、空間光変調器１４で変調された変調光が、光記録シート１６に照射される。
【００２２】
変調光を参照光として光記録シート１６に照射し、参照光を照射する側とは異なる側からスペックルパターンを形成する拡散光を物体光として照射することにより、光記録シート１６の内部にはスペックルパターンに対応した屈折率分布が形成される。このように、物体光と参照光とを光記録シート１６の異なる側から照射することにより、光記録シート１６のマスク露光された部分には、反射型の体積ホログラムが記録される。
【００２３】
なお、上記のホログラム記録装置では、コンピュータにより制御される空間光変調器（プログラマブルマスク）を用いる例について説明したが、二値画像が印字された透明フィルム等のマスクを用いても、レーザ光の変調を行うことができる。また、参照光の光記録シート１６表面への入射角度は０°であるが、所定角度で入射させてもよい。
【００２４】
次に、光記録シート１６について説明する。光記録シート１６は、基材表面に装着して使用することができる。光記録シート１６を基材に装着して使用する場合には、光記録シートと基材とを一体として「光記録媒体」と称することができる。光記録シート１６を装着する基材としては、例えば、プラスチックカード等の板状基材の外に、紙、金属層、樹脂フィルム等のシート状基材が挙げられる。光記録シート１６を紙、樹脂フィルム等のシート状基材と一体化した場合には、その「光記録媒体」を更にプラスチックカード等の別の基材に装着して使用することもできる。
【００２５】
また、光記録媒体が拡散反射機能を備えていない場合には、予めホログラムが記録された光記録シート１６を基材表面に装着するが、光記録媒体が拡散反射機能を備える場合には、光記録シート１６を基材表面に装着した状態で記録することができる。なお、拡散反射機能を備えた光記録媒体については後述する。
【００２６】
図４（Ａ）及び（Ｂ）は、数ｍｍ角の光記録シート１６の小片が、クレジットカード大のプラスチックカードからなる基板１８の表面に貼り付けられた状態を示す図である。この例では、光記録シート１６は、基板１８の右下側に貼り付けられている。
【００２７】
光記録シート１６は、屈折率変化により体積ホログラムの書き込みが可能な記録材料で構成されている。このような記録材料としては、フォトポリマー等が挙げられる。フォトポリマーとしては、例えば、特許第2849021号公報に開示されているフォトポリマーを使用することができる。
【００２８】
また、光誘起屈折率変化あるいは光誘起二色性を示すと共にこれらの特性が常温で保持されるフォトリフラクティブ材料、フォトクロミック材料、偏光感応材料を使用することができる。これらフォトリフラクティブ材料、フォトクロミック材料、偏光感応材料は、光照射により記録されたホログラムを消去して、新たなホログラムを記録すること、即ち、ホログラムの書き換えも可能である。
【００２９】
これらの中でも、側鎖に光異性化する基を有する高分子、例えば、ポリエステル群から選ばれた少なくとも一種の重合体であって、その側鎖に光異性化する基、例えば、アゾベンゼン骨格を有する材料が好適である。
【００３０】
アゾベンゼンは、光の照射によってトランス−シス−トランスの異性化サイクルを繰り返す。光照射前は、光記録層にはトランス体のアゾベンゼン分子が多く存在する。これらの分子はランダムに配向しており、マクロに見て等方的である。直線偏光を照射すると、偏光方向と同じ方位に吸収軸を持つアゾベンゼン分子は選択的にトランス−シス異性化される。偏光方向と直交した吸収軸を持つトランス体に緩和した分子は、もはや光を吸収せずその状態に固定される。結果として、マクロに見て吸収係数及び屈折率の異方性、つまり二色性と複屈折が誘起される。このような光異性化基を含む高分子は、光異性化により高分子自身の配向も変化し大きな複屈折を誘起することができる。このように誘起された複屈折は高分子のガラス転移温度以下で安定であり、ホログラムの記録に好適である。
【００３１】
例えば、下記の化学式で示される側鎖にシアノアゾベンゼンを有するポリエステル（特開平１０−３４０４７９号公報参照）は、上述した機構によってホログラムを記録する材料として好適である。このポリエステルは、側鎖のシアノアゾベンゼンの光異性化による光誘起異方性に起因して、信号光の偏光方向をホログラムとして記録することができ、室温でホログラム記録可能であり、消去光を照射しない限り記録されたホログラムは半永久的に保持される。
【００３２】
【化１】
2006023670.tif 000003
光記録シート１６の厚さは、嵩高さを防止する観点から、３μｍ〜２００μｍの範囲が好ましく、回折効率の向上を図るために、１０μｍ〜１００μｍの範囲がより好ましい。光記録シート１６は、射出成形により板状の成形物を作製した後、この板状の成形物を１対の離型性の樹脂フィルムで挟持して真空下でホットプレスすることで、シート状に形成される。光記録シート１６は、樹脂フィルムから剥離され、数ｍｍ角（例えば、８ｍｍ角）の小片にカットされて使用される。加熱温度は、記録材料のＴｇ以上の温度とし、プレス圧力は０．０１〜０．１ｔ／ｃｍ2とするのが好ましい。離型性の樹脂フィルムとしては、例えば、離型剤としてシリコーン樹脂を表面に塗布したポリエチレンテレフタレート(ＰＥＴ)フィルムを用いることができる。
【００３３】
光記録シート１６の表面には、保護層を設けることが好ましい。保護層は、記録・再生に使用するレーザ光に対し透明で且つフレキシブルな樹脂材料から構成することができる。保護層の厚さは、嵩高さを防止する観点から、１μｍ〜２００μｍの範囲が好ましいく、この範囲の中では薄ければ薄いほどよい。保護層の記録・再生に使用するレーザ光の透過率は、光利用効率の観点から、５０％以上が好ましく、８０％以上がより好ましい。
【００３４】
次に、図５を参照して、上記の光記録シート１６に記録されたホログラムの再生について説明する。図５（Ａ）に示すように、光記録シート１６に参照光が照射されると、図５（Ｂ）に示すように、光記録シート１６に記録されたスペックルパターンのホログラムから拡散光が再生され、光記録シート１６の参照光照射側から射出される。この結果、スペックルパターンが記録された部分では、拡散光が観測される。
【００３５】
単一波長のレーザ光を用いてホログラムを記録した場合は、再生時に白色光を照射すると、記録光の波長に応じた色の再生像が視認される。例えば、波長５３２ｎｍのレーザ光で記録した場合には、緑色の再生像が視認される。
【００３６】
一方、記録材料に感度がある、異なる波長のレーザ光を複数用いてホログラムを記録（波長多重記録）した場合は、再生時に白色光を照射すると、記録光の波長に応じた複数色の再生像が視認される。例えば、波長４８８ｎｍ、波長５３２ｎｍ、波長６３３ｎｍのレーザ光で記録した場合には、青色、緑色、赤色のカラー再生像が視認される。
【００３７】
なお、異なる波長のレーザ光を同時に照射する同時露光により波長多重記録を実施してもよく、異なる波長のレーザ光を所定順序で照射する逐次露光により波長多重記録を実施してもよい。
−記録・再生実験−
光記録シートとして、デュポン社製のフォトポリマー「オムニデックス（Ｒ）」ＨＲＦ−８００（膜厚１５μｍ）を用いた。
【００３８】
白抜きの「Ｘ」の文字からなる二値画像が印字されたＯＨＰシートをマスクとして用い、上記の光記録シートを、裏面にシグマ光機社製の反射板を取付けたシグマ光機社製の「フロスト型拡散板」砂番＃６００上に載置した。上記の光記録シート上にマスクを重ねて、波長５３２ｎｍ、光量２０ｍＪ／ｃｍ2のレーザ光を照射し、上記の光記録シートをマスク露光した。露光量は１．２Ｊ／ｃｍ2であった。露光終了後、光記録シートを１００℃で１２０分間、加熱処理した。
【００３９】
ホログラムが記録された光記録シートを黒紙の上に載置し、白色光を照射したところ、図８に示す再生像が得られた。マスクであるＯＨＰシートに印字されていたオリジナル画像（「Ｘ」の文字）が再現されていることが分かる。再生像は広い範囲の観察角度から視認することができた。
【００４０】
以上説明した通り、本実施の形態では、光記録シートにスペックルパターンに応じた屈折率分布、即ち、体積ホログラムが記録されるので、記録されたホログラムの偽造、変造が困難である。また、記録されたホログラムから得られる再生像は、広い範囲の観察角度から視認することができ、視認性に優れている。
【００４１】
また、一光束で参照光と物体光とを照射して体積ホログラムを記録することができ、ホログラム記録装置の装置構成が簡単になる。更に、任意の画像を表示するマスクを使用してホログラムを記録できるので、簡単な装置構成で、偽造、変造が困難な体積ホログラムを、オンデマンドで記録することができる。
【００４２】
以下、本実施の形態の変形例について説明する。
（１）ホログラム記録装置の拡散体と反射体とを一体に構成する例
上記では、ホログラム記録装置の拡散体と反射体とを別々に構成する例について説明したが、図６（Ａ）に示すように、空間光変調器１４の変調光出射側には、光記録シート１６を挟むように、空間光変調器１４で変調されたレーザ光を反射拡散する板状の反射拡散体２２を配置してもよい。この反射拡散体２２は、拡散光を光記録シート１６に向けて反射する。反射拡散体２２としては、粗面の金属体等を用いることができる。
【００４３】
（２）反射拡散機能を備えた光記録媒体を使用する例
上記では、拡散反射機能を備えていない光記録媒体に記録する例について説明したが、図６（Ｂ）に示すように、拡散反射機能を備える光記録媒体２４を用いてホログラムを記録することができる。光記録媒体２４は、反射拡散基材２６上にホログラムを記録可能な記録層２８を形成して構成されている。なお、この場合、ホログラム記録装置の側に拡散体と反射体とは不要である。
【００４４】
この構成では、空間光変調器１４で変調された変調光は、記録層２８を透過して反射拡散基材２６で反射拡散され、スペックルパターンが物体光として記録層２８に入射する。反射拡散基材２６としては、表面に凹凸がある紙やプラスチックカード、粗面の金属体等を用いることができる。
【００４５】
また、図７（Ａ）に示すように、普通紙等の紙３６上に、反射層３４を介して記録層３２を形成することができる。或いは、図７（Ｂ）に示すように、普通紙等の紙３６上に記録層３２を形成し、紙３６の裏面に反射層３４を形成することができる。なお、紙３６自身の反射率が高い場合は、反射層３４を省略してもよい。この場合は、ホログラム記録装置に、反射体２０を配置することが好ましい。更に、図７（Ｃ）に示すように、普通紙等の紙３６上に拡散層３８を介して記録層３２を形成し、紙３６の裏面に反射層３４を形成することができる。
【００４６】
反射層３４は、記録・再生に使用するレーザ光に対する反射率が７０％以上である光反射性材料からなる薄膜で構成されている。このような光反射性材料としては、例えば、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの中でも、Ａｕ、Ａｇ、Ａｌ、又はこれらの合金が好ましく、Ａｌ（アルミニウム）が特に好ましい。上記の光反射性材料は、単独で用いてもよく、二種以上組合せて用いてもよい。
【００４７】
反射層３４は、例えば、上記の光反射性材料をアルミ箔のように薄膜化して、紙３６に貼り付けることにより形成することができる。反射層３４の厚さは、嵩高さを防止する観点から、１ｎｍ〜１００μｍの範囲が好ましいが、この範囲の中では薄ければ薄いほどよい。    
また、拡散層３８は、上記拡散体１２と同じ材料で構成することができる。
【００４８】
（３）拡散機能を備えた光記録媒体を使用する例
上記では、拡散反射機能を備えていない光記録媒体に記録する例について説明したが、図６（Ｃ）に示すように、拡散機能を備える光記録媒体３０を用いてホログラムを記録することができる。光記録媒体３０は、光透過側の表面が粗面化されて拡散機能が付与されている。なお、ホログラム記録装置の側に拡散体は不要である。
【００４９】
この構成では、空間光変調器１４で変調された変調光は、光記録媒体３０を透過する際に拡散され、ホログラム記録装置の反射板で反射されて、スペックルパターンが光記録媒体３０に照射される。
【図面の簡単な説明】
【００５０】
【図１】本実施の形態のホログラム記録装置の構成を示す概略図である。
【図２】拡散体の機能を示す説明図である。
【図３】空間光変調器により変調された光の強度分布を示す図である。
【図４】（Ａ）はカードにホログラムシートが貼付された様子を示す図であり、（Ｂ）は（Ａ）のＡ−Ａ´矢視断面図である。
【図５】（Ａ）及び（Ｂ）は再生された拡散光が射出される様子を示す光軸に沿った断面図である。
【図６】（Ａ）〜（Ｃ）は本実施の形態の変形例に係るホログラム記録装置の要部構成を示す概略図である。
【図７】（Ａ）〜（Ｃ）は拡散反射機能を備えた光記録媒体の他の例を示す概略図である。
【図８】記録されたホログラムから再生された再生像を示す図である。
【図９】空間光変調器と光記録媒体とを近接させない配置を示す概略図である。
【符号の説明】
【００５１】
１０  レーザ光源
１２  拡散体
１４  空間光変調器
１６  光記録シート
２０  反射体
【図１】
2006023670.tif 000004
【図２】
2006023670.tif 000005
【図３】
2006023670.tif 000006
【図４】
2006023670.tif 000007
【図５】
2006023670.tif 000008
【図６】
2006023670.tif 000009
【図７】
2006023670.tif 000010
【図９】
2006023670.tif 000011
【図８】
2006023670.tif 000012